(57)【要約】【課題】投票用マークカード、不的中投票券の無駄を抑制することができる投票券発券装置、発券方法、及び、そのプログラムを提供する。【解決手段】ファンの投票内容を受信し、受信した投票内容に従った投票券を発券する投票券発券装置は、不的中投票券の投入を受け付ける投入手段と、不的中投票券の前記投票内容を前記ファンに修正させ、修正された投票内容を新規投票内容として取得し、新規投票内容に従って、新規の投票券を発券する発券手段とを備える。【選択図】図４
2016161994.tif 000002
【特許請求の範囲】
【請求項１】
ファンの投票内容を受信し、前記投票内容に従った投票券を発券する投票券発券装置であって、
不的中投票券の投入を受け付ける投入手段と、
前記不的中投票券の前記投票内容を前記ファンに修正させ、修正された前記投票内容を新規投票内容として取得し、前記新規投票内容に従って、新規の投票券を発券する発券手段と、
を備えることを特徴とする投票券発券装置。
【請求項２】
前記不的中投票券を前記新規投票内容の入力に使用するか否かをファンに問い合わせることを特徴とする請求項１に記載の投票券発券装置。
【請求項３】
前記新規投票内容の入力に使用可能な前記不的中投票券には、前記新規投票内容の入力に使用可能とした旨の印刷とデータの記載がなされていることを特徴とする請求項１又は２に記載の投票券発券装置。
【請求項４】
前記印刷には、ファンが前記新規投票内容の入力に前記不的中投票券を使用することを希望する旨のマークを付けるための欄が設けられていることを特徴とする請求項３に記載の投票券発券装置。
【請求項５】
前記投票券を発券する場合に用いる投票用マークカードには、発券される前記投票券を前記新規投票内容の入力に使用可能とする旨のマークを付ける欄が設けられることを特徴とする請求項１に記載の投票券発券装置。
【請求項６】
ファンの投票内容に従った投票券を発券する投票券の発券方法であって、
投票券発券装置が、
不的中投票券の投入を受け付け、
前記不的中投票券の前記投票内容を前記ファンに修正させる表示をし、
修正された前記投票内容を新規投票内容として取得し、
前記新規投票内容に従って、新規の投票券を発券する、
ことを特徴とする発券方法。
【請求項７】
ファンの投票内容に従った投票券を発券する投票券の発券方法をコンピュータに実行させるプログラムであって、
前記コンピュータに、
不的中投票券の投入を受け付けさせ、
前記不的中投票券の前記投票内容を前記ファンに修正させる表示をさせ、
修正された前記投票内容を新規投票内容として取得させ、
前記新規投票内容に従って、新規の投票券を発券させる、
ことを特徴とするプログラム。
【発明の詳細な説明】
【技術分野】
【０００１】
本発明は、トータリゼータシステムにおいて、ファンが購入データを入力し、投票券を発券するための投票券発券装置、発券方法、及び、そのプログラムに関する。
【背景技術】
【０００２】
投票券の購入のためのデータ入力は、ファンが投票用マークカードに必要な情報をマークし、投票券発券用の端末（投票券発券装置）にマークした投票用マークカードを挿入し、当該端末でデータを読み取ることで実現している。投票券発券装置に入力されたデータに従った投票情報を有する投票券が、投票券発券装置から排出される。
【０００３】
一部では、有人発券機が用いられることもある。この場合、有人発券機では、ファンが端末オペレータに口頭で購入データを話し、オペレータがキー入力する。有人発券機のオペレータは、投票用マークカードの記入ミスの修正と、現金と投票券のファンとのハンドリングを行う。しかし、有人発券機は、人件費と操作時間の関係で、現在では少なくなっている。
【０００４】
従来技術には、下記特許文献１〜４のようなものがある。特許文献１には、投票券画面が、読み取り部によって挿入された投票カードを読み取った情報に基づいて作成され、投票カードを読み取った結果、問題のある修正対象箇所を他の箇所とは異なる背景色、修正箇所周辺の縁取り、点滅等により強調して表示するものが記載されている。特許文献２には、投票券発売機が、利用者が投票する買い目を記入したマークカードの投票用紙を読み込むものが記載されている。特許文献３には、画面に表示された前記マークカードに施されたマークを修正するマーク修正手段と、修正後のマークカードの内容により投票を実行する投票実行手段とを有する投票券発券装置が記載されている。特許文献４には、投入された投票券から投票情報を読み取り、読み取った情報をセンタに送信し、的中券か否かを判定し、判定済み投票券であれば回収し、そうでなければ返却するものが記載されている。
【先行技術文献】
【特許文献】
【０００５】
【特許文献１】特開２００９−２６５８９５号公報
【特許文献２】特開２００６−２０１８２８号公報
【特許文献３】特開２００１−５２０９９号公報
【特許文献４】特開２００３−０５８９２６号公報
【発明の概要】
【発明が解決しようとする課題】
【０００６】
投票用マークカードは、ファンにも浸透し、購入データ入力手段としては有効であるが、使用後は破棄されるので、消耗品としてランニングコストが発生する。また、投票用マークカードは、各場単位でデザインしている為、各場間での共通化が困難で、投票用マークカードの大量発注による、投票用マークカードの単価の抑制もしにくい。このような問題が、民間委託の小規模場外発売所等では特に問題となっている。
【０００７】
投票用マークカードは通常片面印刷のため、メモ用紙の感覚で必要以上に持ち出すファンも多く無駄が多い。
【０００８】
記入ミスや未使用の投票用マークカードはゴミとなり、紙資源の面でも問題となっている。
【０００９】
また、不的中投票券は、投票が不的中となったことが分かった時点で必要がなくなってしまうので、破棄されるだけであり、多くの不的中投票券がゴミとなってしまう問題がある。
【００１０】
したがって、本発明の課題は、投票用マークカード、不的中投票券の無駄を抑制することができる投票券発券装置、発券方法、及び、そのプログラムを提供することである。
【課題を解決するための手段】
【００１１】
本発明の実施形態の一側面に従った投票券発券装置は、ファンの投票内容を受信し、前記投票内容に従った投票券を発券する投票券発券装置であって、不的中投票券の投入を受け付ける投入手段と、前記不的中投票券の前記投票内容を前記ファンに修正させ、修正された前記投票内容を新規投票内容として取得し、前記新規投票内容に従って、新規の投票券を発券する発券手段とを備える。
【００１２】
本発明の実施形態の他の側面に従った発券方法は、ファンの投票内容に従った投票券を発券する投票券の発券方法であって、投票券発券装置が、不的中投票券の投入を受け付け、前記不的中投票券の前記投票内容を前記ファンに修正させる表示をし、修正された前記投票内容を新規投票内容として取得し、前記新規投票内容に従って、新規の投票券を発券する。
【００１３】
本発明の実施形態の更に他の側面に従ったプログラムは、ファンの投票内容に従った投票券を発券する投票券の発券方法をコンピュータに実行させるプログラムであって、前記コンピュータに、不的中投票券の投入を受け付けさせ、前記不的中投票券の前記投票内容を前記ファンに修正させる表示をさせ、修正された前記投票内容を新規投票内容として取得させ、前記新規投票内容に従って、新規の投票券を発券させる。
【発明の効果】
【００１４】
本発明によれば、投票用マークカード、不的中投票券の無駄を抑制することができる投票券発券装置、発券方法、及び、そのプログラムを提供することができる。
【図面の簡単な説明】
【００１５】
【図１】トータリゼータシステム及び投票券発券装置の概要を説明するための図である。
【図２】図１に示す本実施形態に係る投票券発券装置１００のハードウェア構成例を示す図である。
【図３】投票用マークカードと投票券の例を示す図である。
【図４】投票券にリサイクル投票を行う旨の認識マーク欄を設けて、投票券を購入する場合の実施形態のフローチャートである。
【図５】図４に示される投票券の購入の際に、投票券発券装置１００のディスプレイ１０８に表示される画面の例を示す図（その１）である。
【図６】図４に示される投票券の購入の際に、投票券発券装置１００のディスプレイ１０８に表示される画面の例を示す図（その２）である。
【図７】投票券にリサイクル投票を行う旨の認識マーク欄を設けない場合の、投票券購入処理の実施形態のフローチャートである。
【図８】図７に示される投票券の購入の際に、投票券発券装置１００のディスプレイ１０８に表示される画面の例を示す図である。
【発明を実施するための形態】
【００１６】
図１は、トータリゼータシステム及び投票券発券装置の概要を説明するための図である。
【００１７】
トータリゼータシステム１０００は、投票券の発券、オッズの表示と集計、配当金の計算、投票券の払戻等を管理するシステムである。トータリゼータシステム１０００は、投票券発券装置１００、管理装置（ホストコンピュータ）２００、ネットワーク３００を備えている。
【００１８】
投票券発券装置１００は、図１に示すように、運用状況表示窓１０１、投票券投入口１０２、投票券排出口１０３、投票用マークカード投入排出口１０４、紙幣投入排出口１０５、硬貨投入口１０６、硬貨排出口１０７、ディスプレイ１０８、タッチパネル１０９を備えている。
【００１９】
運用状況表示窓１０１は、投票券発券装置１００において、投票券の発券受付中であるか発券停止中であるか、及び、投票券の払戻受付中であるか払戻停止中であるかを表示する。
【００２０】
投票券投入口１０２は、払い戻しをする投票券の投入口である。また、本実施形態の場合、不的中投票券を新規投票のデータ入力に再利用する場合にも、投票券投入口１０２は、不的中投票券の投入を受け付ける。投票券排出口１０３は、発券された投票券の排出口である。投票用マークカード投入排出口１０４は、投票申し込みマークカード（以降、投票用マークカードと記す。）の投入口であり、また、返却する投票用マークカードの排出口でもある。
【００２１】
紙幣投入排出口１０５は、紙幣の投入口であり、また、返却する紙幣又は釣札とする紙幣の排出口でもある。硬貨投入口１０６は、硬貨の投入口である。硬貨排出口１０７は、返却する硬貨又は釣銭とする硬貨の排出口である。
【００２２】
ディスプレイ１０８は、タッチパネル１０９の下層に配置されており、操作案内、レース案内、投票カードの投票内容等の情報を表示する。また、不的中投票券を再利用して新規投票を行う場合には、不的中投票券の情報を表示する。ディスプレイ１０８は、例えば液晶ディスプレイである。
【００２３】
タッチパネル１０９は、透過型のタッチパネルであり、各種の入力や投票内容の修正等の際に操作される。ディスプレイ１０８により表示された情報は、タッチパネル１０９を透過して、投票者から視認可能である。投票者は、ディスプレイ１０８により表示された情報を見ながら、タッチパネル１０９に対するタッチ操作を行うことができる。
【００２４】
なお、投票券発券装置１００において、投票券投入口１０２と投票券排出口１０３を一体構成としてもよい。また、硬貨投入口１０６と硬貨排出口１０７を一体構成としてもよい。また、投票カード投入排出口１０４を、投票カード投入口と投票カード排出口のように、別体構成としてもよい。また、紙幣投入排出口１０５を、紙幣投入口と紙幣排出口のように、別体構成としてもよい。
【００２５】
管理装置２００は、投票券発券装置１００とネットワーク３００を介して通信を行い、投票券発券装置１００が行う投票券の発券や投票券の払戻等を管理する。また、管理装置２００は、オッズの計算、配当金の計算等を行う。
【００２６】
ネットワーク３００は、例えば、ＬＡＮ（Local Area Network）、ＷＡＮ（Wide Area Network）、インターネット等のネットワーク、或いは、それらが混在するネットワークである。
【００２７】
図２は、図１に示す本実施形態に係る投票券発券装置１００のハードウェア構成例を示す図である。
【００２８】
投票券発券装置１００は、図２に示すように、制御部１１１、ディスプレイ１０８、管理者用ディスプレイ１１２、タッチパネル１０９、管理者用タッチパネル１１３、投票用マークカード読取ユニット１１４、紙幣還流ユニット１１５、硬貨還流ユニット１１６、投票券印刷ユニット１１７、払戻投票券／リサイクル投票券読取ユニット１１８を備えている。
【００２９】
制御部１１１は、ＣＰＵ（Central Processing Unit）１２０、ＲＡＭ（Random Access Memory）１２１、ＨＤＤ（Hard Disk Drive）１２２、通信インタフェース１２３、グラフィック処理ユニット１２４、入出力インタフェース１２５を含み、各々がバス１２６を介して接続されている。なお、制御部１１１は、コンピュータの一例でもある。
【００３０】
ＣＰＵ１２０は、投票券発券装置１００の全体動作を制御する。ＲＡＭ１２１は、ＣＰＵ１２０によって実行させるＯＳ（Operating System）のプログラムやアプリケーションプログラムの少なくとも一部を一時的に格納する。また、ＲＡＭ１２１は、ＣＰＵ１２０による処理に必要な各種データ（例えば投票内容のデータ等）を格納する。ＨＤＤ１２２は、ＯＳやアプリケーションプログラムを格納する。
【００３１】
通信インタフェース１２３は、ネットワーク３００に接続され、例えば、管理装置２００との間でデータ（各種の情報、電文、通知等）の送受信を行う。
【００３２】
なお、ＣＰＵ１２０によって実行されるＯＳのプログラムやアプリケーションプログラムは、図示しない外部装置から、ネットワーク３００及び通信インタフェース１２３を介して、例えばＲＡＭ１２１に格納されて、ＣＰＵ１２０によって実行されてもよい。また、可搬型記録媒体１１９に格納され、可搬型記録媒体インタフェース及び入出力インタフェース１２５を介して、例えばＲＡＭ１２１に格納されて、ＣＰＵ１２０によって実行されてもよい。
【００３３】
グラフィック処理ユニット１２４は、ディスプレイ１０８、管理者用ディスプレイ１１２が接続されている。グラフィック処理ユニット１２４は、ＣＰＵ１２０の制御の下に、各種の情報をディスプレイ１０８、管理者用ディスプレイ１１２の画面に表示させる。なお、管理者用ディスプレイ１１２は、投票券発券装置１００の裏面側に設けられる管理者向けのディスプレイである。
【００３４】
入出力インタフェース１２５には、タッチパネル１０９、管理者用タッチパネル１１３、投票用マークカード読取ユニット１１４、紙幣還流ユニット１１５、硬貨還流ユニット１１６、投票券印刷ユニット１１７、払戻投票券／リサイクル投票券読取ユニット１１８が接続されている。また、入出力インタフェース１２５は、可搬型記録媒体１１９に対する情報の書込み及び読出しが可能な可搬型記録媒体インタフェースと接続可能になっている。
【００３５】
入出力インタフェース１２５は、タッチパネル１０９、管理者用タッチパネル１１３、投票用マークカード読取ユニット１１４、紙幣還流ユニット１１５、硬貨還流ユニット１１６、投票券印刷ユニット１１７、払戻投票券／リサイクル投票券読取ユニット１１８、可搬型記録媒体インタフェースから送られてくる信号を、バス１２６を介してＣＰＵ１２０に送信する。また、入出力インタフェース１２５は、ＣＰＵ１２０から送られてくる制御信号を、バス１２６を介して対応するユニット（タッチパネル１０９、管理者用タッチパネル１１３、投票用マークカード読取ユニット１１４、紙幣還流ユニット１１５、硬貨還流ユニット１１６、投票券印刷ユニット１１７、払戻投票券／リサイクル投票券読取ユニット１１８、又は可搬型記録媒体インタフェース）へ送信する。
【００３６】
投票用マークカード読取ユニット１１４は、投票用マークカードから投票内容を読み取るユニットである。紙幣還流ユニット１１５は、紙幣の受け入れ、紙幣の真贋の鑑別、紙幣の収納、紙幣の返却、釣札の排出を行う。硬貨還流ユニット１１６は、硬貨の受け入れ、硬貨の真贋の鑑別、硬貨の収納、硬貨の返却、釣銭の排出を行う。投票券印刷ユニット１１７は、投票内容を印刷して投票券を発券する。払戻投票券／リサイクル投票券読取ユニット１１８は、的中投票券及び不的中投票券を受け入れて投票内容を読み取る。
【００３７】
なお、投票券発券装置１００において、制御部１１１は、例えば、ＦＰＧＡ（Field Programmable Gate Array）やＤＳＰ（Digital Signal Processor）等のモジュールを含む構成とすることもできる。この場合、制御部１１１は、不揮発性メモリ（例えば、ＥＥＰＲＯＭ（Electrically Erasable and Programmable Read Only Memory）、フラッシュメモリ、フラッシュメモリ型メモリカード等）を含み、モジュールのファームウェアを記憶する。不揮発性メモリには、可搬型記録媒体１１９、或いは通信インタフェース１２３を介してファームウェアを書き込むことができる。このように制御部１１１は、不揮発性メモリに記憶されているファームウェアを書き換えることにより、ファームウェアの更新をすることもできる。
【００３８】
図３は、投票用マークカードと投票券の例を示す図である。
図３（ａ）は、投票用マークカードの例を示す。マークを付ける項目には、前日発売、競馬場名、レース番号、式別、１着、２着、３着の馬番、金額、金額の単位などがある。特に、本実施形態においては、図３（ａ）の投票用マークカードを用いて発券した、不的中投票券を再利用して新規の投票を行う、リサイクル投票を行うか否かを示すマークが設けられている。図３（ａ）では、この項目は「Ｒ投票」の項目として欄が設けられている。
【００３９】
なお、すべての投票券を事前にリサイクル投票可能と設定する場合には、リサイクル投票を行うか否かを示すマーク欄は設ける必要が無い。
【００４０】
図３（ｂ）は、発券された投票券の例を示す。図３（ｂ）では、Ｃ競馬場における第１１レースについて投票を行っており、３連複の式別で、３つの馬番の組み合わせがそれぞれ１００円ずつ投票されている。更に、投票券の右上に、リサイクル投票を行うか否かを示す認識マーク欄が設けられている。この認識マーク欄は、図３（ａ）の投票用マークカードの「Ｒ投票」の欄にマークを付けて投票券を発券した場合に印刷されるものである。そして、この投票券が不的中となった場合に、この認識マーク欄にリサイクル投票を行う旨のマークを付けると、この不的中の投票券が新規投票のための投票用マークカードと同様に新規投票に使用できるようになる。投票券の投票データは、図３（ｂ）の投票券の２次元バーコードに含まれており、リサイクル投票を行うか否かの認識マーク欄を付したという情報も、この２次元バーコードに含まれている。
【００４１】
図３（ｃ）、（ｄ）は、リサイクル投票を行う旨の認識マーク欄の変形例を示す図である。図３（ｄ）は、図３（ｂ）に示されたリサイクル投票を行う旨の認識マーク欄の印刷例であり、「リサイクル投票」と言う文字の横にリサイクル投票を当該投票券で行う旨のマークを付ける認識マーク欄が設けられている。投票券発券装置１００は、この認識マーク欄にマークの付けられた不的中投票券が入力された場合に、ファンに新規投票のための情報を入力される画面をディスプレイ１０８に表示する。
【００４２】
図３（ｃ）は、別の変形例である。この例では、図３（ａ）の投票用マークカードにおいて、リサイクル投票をする旨の認識マークの印刷がされた場合には、その投票券が的中投票券であるか、不的中投票券であるかに関わらず、リサイクル投票を可能と設定するものである。したがって、発券された投票券に印刷される「リサイクル投票」の文字の横にはマークを付ける欄が設けられていない。レース終了後、投票券を投票券発券装置１００に投入すると、「リサイクル投票」と印刷された的中投票券については、印刷の有無とは無関係に自動的に払戻し手続となり、「リサイクル投票」と印刷された不的中投票券が投入された場合、全ての不的中投票券がリサイクル投票に使用されるようになる。
【００４３】
あるいは、別の変形例として、投票用マークカードにリサイクル投票をするか否かのマーク付けを行わずに、無条件で全ての投票券をリサイクル投票可能と設定しておくことも考えられる。この場合には、投票券にリサイクル投票を行う旨の印刷は必要なく、トータリゼータシステム１０００の仕様として、全ての投票券をリサイクル投票に使用できるようにする。
【００４４】
以上のように、不的中の投票券をリサイクル投票に使用するようにすることにより、新規投票に投票用マークカードを使用する必要がなくなるので、初めての投票以外には、投票用マークカードを使用する必要がなくなる。したがって、投票用マークカードを用意する枚数が少なくて済む。また、従来、ゴミとなっていた不的中投票券を再利用して、新規投票に用いるので、不的中投票券を有効に利用することが出来る。更に、初めての投票の際に必要となる投票用マークカードも、オフライン発券された投票券を代わりに用意しておくことにより、不必要となり、紙資源を無駄にする機会を削減することが出来る。
【００４５】
図４〜図８は、本実施形態に係るリサイクル投票における投票券購入データの入力方法の一例を説明する図である。
【００４６】
図４は、投票券にリサイクル投票を行う旨の認識マーク欄を設けて、投票券を購入する場合の実施形態のフローチャートである。図５及び図６は、図４に示される投票券の購入の際に、投票券発券装置１００のディスプレイ１０８に表示される画面の例を示す図である。
【００４７】
図４を参照すると、投票券発券装置１００は、ステップＳ１００において、投票券が投票券投入口１０２に挿入されると、接客を開始する。ステップＳ１０１において、投票券発券装置１００のＣＰＵ１２０は、払戻投票券／リサイクル投票券読取ユニット１１８を制御して、挿入された投票券が読み取り可能な投票券であり、破れていたり、汚れていたりして読取れない不良投票券ではないことを確認する。
【００４８】
ＣＰＵ１２０は、ステップＳ１０２において、読取られた投票券が的中投票券か、不的中投票券かを判断する。ステップＳ１０２の判断で、読取られた投票券が的中投票券であると判断された場合には、ＣＰＵ１２０は処理をステップＳ１０３に進め、払戻データを管理装置（ホストコンピュータ）２００にネットワーク３００を介して送信し、管理装置２００から払戻金データを受信し、払戻処理を行う。払戻処理が終わると、ＣＰＵ１２０は、処理をステップＳ１１３に進める。
【００４９】
ステップＳ１０２の判断で、読取られた投票券が不的中投票券であると判断された場合には、ＣＰＵ１２０は、処理をステップＳ１０４に進める。
【００５０】
ステップＳ１０４においては、ＣＰＵ１２０は、投入された投票券において、リサイクル投票が有効に設定されているか否かを判断する。ステップＳ１０４の判断においては、前述したように投票券にリサイクル投票を行うための認識マーク欄が印刷され、マークが付されている場合に、リサイクル投票が有効と判断することができる。また、認識マーク欄が付される形態でなくても、投票券にリサイクル投票を行う旨の印刷がされ、投票券の２次元バーコードにリサイクル投票を有効とする旨の情報が含まれている場合には、リサイクル投票が有効と判断することができる。あるいは、投票券にリサイクル投票を有効とする旨の情報がなくても、トータリゼータシステム１０００の仕様として、全ての投票券について、リサイクル投票を有効とする設定がなされている場合には、ステップＳ１０４の判断を省略してもよい。ステップＳ１０４の判断で、リサイクル投票が無効と判断された場合には、ＣＰＵ１２０は処理をステップＳ１１２に進める。ステップＳ１０４の判断で、リサイクル投票が有効と判断された場合には、ＣＰＵ１２０は、処理をステップＳ１０５に進める。
【００５１】
ＣＰＵ１２０は、ステップＳ１０５において、リサイクル投票を行ってよいかファンに確認する画面をディスプレイ１０８に表示する。このディスプレイ１０８に表示する画面の一例が図５に示されている。図５においては、リサイクル投票を行う旨の確認と、不的中投票券の投票内容を修正することによって、新規投票を行うことが示される。ファンは、「ＯＫ」ボタンにタッチすることにより、リサイクル投票の処理に進むことが出来る。
【００５２】
次に、ステップＳ１０６においては、ＣＰＵ１２０は、不的中投票券の投票内容を修正して新規投票を行うためのリサイクル投票画面をディスプレイ１０８に表示する。
【００５３】
次に、ＣＰＵ１２０は、ステップＳ１０７において、不的中投票券を読取った際にエラーとなった情報を修正する処理をファンに行わせる。ファンは、ディスプレイ１０８に表示された画面を見て、エラーとなっている情報の修正をタッチパネル１０９にタッチすることで修正する。
【００５４】
次に、ＣＰＵ１２０は、ファンに新規投票のための投票内容の変更を行わせる。ファンは、ディスプレイ１０８に表示された投票内容を確認し、新規投票の投票内容と異なる情報をタッチパネル１０９にタッチすることで修正する。
【００５５】
ＣＰＵ１２０は、ステップＳ１０９において、ステップＳ１０８における投票内容の修正が完了したか否かを判断する。ステップＳ１０９の判断で、まだ修正箇所があると判断した場合には、ＣＰＵ１２０はステップＳ１０８に処理を戻して、更なる投票内容の修正を行う。ステップＳ１０９の判断で、投票内容の修正が完了したと判断された場合には、ステップＳ１１０に処理を進める。
【００５６】
ステップＳ１１０においては、ＣＰＵ１２０は、修正後の投票内容にエラー箇所が存在するか否かを判断する。ステップＳ１１０において、ＣＰＵ１２０が、エラーが存在すると判断した場合には、ＣＰＵ１２０はステップＳ１０７に処理を戻す。ステップＳ１１０において、ＣＰＵ１２０が、エラー箇所がないと判断した場合には、ステップＳ１１１に処理を進める。
【００５７】
ステップＳ１０６からステップＳ１１０までの処理において、ディスプレイ１０８に表示される画面例が図６に示されている。リサイクル投票における投票内容の修正画面である図６においては、投票に必要な情報である、レースが行われる会場、レース番号、式別の指定、馬番の指定、購入金額等が修正できるようになっている。
【００５８】
ＣＰＵ１２０は、ステップＳ１１１において、リサイクル投票で指定された投票データを管理装置（ホストコンピュータ）２００に、ネットワーク３００を介して送信し、管理装置２００から発券許可データを受信する。
【００５９】
ＣＰＵ１２０は、ステップＳ１１２において、投票券投入口１０２から、リサイクル投票に用いた不的中投票券をファンに返却する。これは、不的中投票券をファンに返却することにより、そのファンに次回の投票の際にもリサイクル投票を利用してもらい、不的中投票券が破棄されることを抑制する。そして、これにより、ファンは、新規投票を行う場合に、新たに投票用マークカードを使用しなくなるので、不的中投票券の有効利用と、投票用マークカードの資源の節約を行うことが出来る。なお、このようにしなくても、リサイクル投票に使用された不的中投票券を投票券発券装置１００が回収し、施行者が、回収した不的中投票券を次の日の投票用に場内に配置しておくことも可能である。
【００６０】
ＣＰＵ１２０は、ステップＳ１１３において、挿入された投票券に、リサイクル投票に使用されていない、残りの投票券があるか否かを判断する。ステップＳ１１３の判断で、残りの投票券があると判断された場合には、ＣＰＵ１２０はステップＳ１０６に処理を戻して、リサイクル投票を続ける。ステップＳ１１３において、残りの投票券がないと判断された場合には、ＣＰＵ１２０は、処理をステップＳ１１４に進める。
【００６１】
ステップＳ１１４では、ＣＰＵ１２０は、リサイクル投票により、新規投票券の購入があったか否かを判断する。ステップＳ１１４の判断で、新規投票券の購入がないと判断された場合には、接客を終了する。ステップＳ１１４において、新規投票券の購入があったと判断された場合には、ステップＳ１１５において、ＣＰＵ１２０は、購入投票券を投票券排出口１０３から放出し、おつりを紙幣投入排出口１０５、硬貨排出口１０７から放出して、接客を終了する。
【００６２】
図７は、投票券にリサイクル投票を行う旨の認識マーク欄を設けない場合の、投票券購入処理の実施形態のフローチャートである。図８は、図７に示される投票券の購入の際に、投票券発券装置１００のディスプレイ１０８に表示される画面の例を示す図である。
【００６３】
図７において、図４と同様な処理には同様なステップ番号を付し、これらの説明を省略する。
【００６４】
図７において、図４と異なるのは、ステップＳ１０２において、ＣＰＵ１２０が、投入された投票券が的中投票券か、不的中投票券かを判断し、不的中投票券であると判断した場合の、ステップＳ１２０におけるリサイクル投票を行うか否かの判断の仕方である。
【００６５】
ステップＳ１２０において、ＣＰＵ１２０はディスプレイ１０８に、図８の例に示されるような画面を表示させる。図７の場合、不的中投票券には、ファンの付ける認識マーク欄のマークが存在しないので、投票券は、「リサイクル投票」と印刷されたリサイクル投票が有効化されただけの投票券か、全ての投票券をリサイクル投票に使用可能とトータリゼータシステムの仕様で設定されている場合である。この場合、ファンがリサイクル投票を行う意志があるか否かを確認するために、ＣＰＵ１２０はディスプレイ１０８に、図８の例のような画面を表示させる。
【００６６】
図８の画面においては、投票券発券装置１００に投入された不的中投票券について、投票券をファンに返却するか、リサイクル投票を行うかをファンに問い合わせる画面が表示されている。ファンは、タッチパネル１０９をタッチして、投票券の返却かリサイクル投票かのいずれかを選択する。これにより、ファンのリサイクル投票を行うか否かの意思を確認することができる。
【００６７】
ステップＳ１２０において、ＣＰＵ１２０が、ファンは投票券の返却を希望していると判断した場合には、リサイクル投票は無効として、ステップＳ１１２に進める。
【００６８】
一方、ステップＳ１２０において、ＣＰＵ１２０が、ファンはリサイクル投票を希望していると判断した場合には、ステップＳ１０６に処理を進め、図４のステップＳ１０６からステップＳ１１３と同様な処理を行い、不的中投票券の投票内容を画面上で、ファンに修正させ、新規投票内容を確定する。そして、確定された新規投票内容にしたがって、新規の投票券を発券する。
【００６９】
以上述べたように、従来廃棄されていた不的中投票券を新規投票の投票内容の入力に再利用することにより、不的中投票券の無駄を削減することができる。また、新規投票に不的中投票券を使用できるので、新しい投票用マークカードを使用する必要がなく、したがって、投票用マークカードを用意する枚数を制限でき、紙資源等の節約が出来る。
【００７０】
本発明の実施形態においては、不要となった不的中投票券を新たな投票券購入のデータ入力手段として再利用する。投票用マークカードと併用することにより、投票用マークカードの使用量を削減できる。投票用マークカードを使用しないで、全て不的中投票券を再利用して投票する場合には、不的中投票券を必要な枚数だけ、日にちに応じ施行者が用意するが、例えば、ホストコンピュータのコードのついていない投票券をオフライン発券（テスト運用などにおいて、ホストコンピュータと通信しないで発券すること）することでデータ入力用のカードを作成することができる。その場合、前日（前回）開催の不的中投票を回収しておくことにより、オフライン発券の枚数を減らすことができる。
【００７１】
本実施形態では、不的中投票券を投票券発券用の端末に挿入することで、新規購入データとして表示し、エラー箇所と変更したい箇所を、投票券発券装置の画面で修正することにより新規投票券の購入を可能にすることができる。また、本実施形態では、不的中投票券が投票券発券装置に挿入された時、「不的中」で投票券を返却するのではなく、「新規購入」をするか否かの「案内画面」を表示し、「新規購入」か否かの確認を行うことができる。「新規購入」の場合は、「エラー箇所」を表示する。通常は、場とレース番号がエラーとなるが、エラー箇所以外も修正可能にする。
【００７２】
また、本実施形態では、投票券に、「リサイクル投票券」の認識欄を付け、ファンがリサイクル投票時に「リサイクル欄にマーク」することにより、本機能を有効にすることもできる。
【００７３】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【００７４】
１００      投票券発券装置
１０１      運用状況表示窓
１０２      投票券投入口
１０３      投票券排出口
１０４      投票用マークカード投入排出口
１０５      紙幣投入排出口
１０６      硬貨投入口
１０７      硬貨排出口
１０８      ディスプレイ
１０９      タッチパネル
１１１      制御部
１１２      管理者用ディスプレイ
１１３      管理者用タッチパネル
１１４      投票用マークカード読取ユニット
１１５      紙幣還流ユニット
１１６      硬貨還流ユニット
１１７      投票券印刷ユニット
１１８      払戻投票券／リサイクル投票券読取ユニット
１１９      可搬型記録媒体
１２０      ＣＰＵ
１２１      ＲＡＭ
１２２      ＨＤＤ
１２３      通信インタフェース
１２４      グラフィック処理ユニット
１２５      入出力インタフェース
１２６      バス
２００      管理装置（ホストコンピュータ）
３００      ネットワーク
【図１】
2016161994.tif 000003
【図２】
2016161994.tif 000004
【図３】
2016161994.tif 000005
【図４】
2016161994.tif 000006
【図５】
2016161994.tif 000007
【図６】
2016161994.tif 000008
【図７】
2016161994.tif 000009
【図８】
2016161994.tif 000010